(57)【要約】      （修正有）【課題】作業者が荷役作業を安全で容易にできるトラックの荷台用昇降タラップを提供する。【解決手段】トラックの荷台のあおりに固定具によって固定可能な昇降タラップであって、作業用ステージ１、タラップ３、脚部２及びフェンス４を有し、前記作業用ステージの前方端部に前記脚部が下方に向けて接続され、前記作業用ステージの後方端部に前記タラップが下方に向けて接続され、前記タラップは後脚３を兼ねており、前記脚部と前記タラップにより作業用ステージを支え、前記作業用ステージの前方端部に複数の前記フェンスがほぼ垂直上向きに接続されることによって、前記荷台上の荷物の落下が防止されていることを特徴とする荷台昇降タラップ。【選択図】図１
2006001502.tif 000002
【特許請求の範囲】
【請求項１】
トラックの荷台のあおりに固定具によって固定可能な荷台昇降タラップであって、作業用ステージ、タラップ、脚部及びフェンスを有し、前記作業用ステージの前方端部に前記脚部が下方に向けて接続され、前記作業用ステージの後方端部に前記タラップが下方に向けて接続され、前記タラップは後脚を兼ねており、前記脚部と前記タラップにより作業用ステージを支え、前記作業用ステージの前方端部に複数の前記フェンスがほぼ垂直上向きに接続されることによって、前記荷台上の荷物の落下が防止されていることを特徴とする荷台昇降タラップ。
【請求項２】
前記フェンスは、作業用ステージ及び／又は他方フェンスに接続されるフェンス補強部材によって支持されていることを特徴とする請求項１に記載の荷台昇降タラップ。
【請求項３】
前記固定具が、前記フェンス上を移動することができる固定用フックであることを特徴とする請求項１又は２に記載の荷台昇降タラップ。
【請求項４】
前記フェンスは、内側に固定用フックを移動するための機構を備える中空構造であり、そのトラック側の側面が補強材によって補強されていることを特徴とする請求項３に記載の荷台昇降タラップ。
【請求項５】
車輪により移動可能である請求項１ないし４のいずれかに記載の荷台昇降タラップ。
【発明の詳細な説明】
【技術分野】
【０００１】
本発明は、作業者が荷役作業などのために貨物トラックの荷台へ昇り降りするためのタラップ装置であって、特に、荷役作業時における貨物トラックの荷台上の荷物の落下を防止して、安全に荷役作業を行うための作業台付きの荷台昇降タラップに関するものである。
【背景技術】
【０００２】
一般に、トラック荷台に鋼材などの荷物を積み込む際には、移動式クレーンにより荷物を荷台に運び込み、トラック荷台に立て掛けた梯子や脚立上に作業者が乗り、クレーンから運びこまれた荷物を取りはずし、荷台に積み込む作業を行っている。
【０００３】
従来、このような貨物トラックへの荷台への荷物の積み込みにおいては、作業者は荷台、或いはそのあおりに梯子や脚立を立て掛けて上り下りをしていた。また、接地の安定性を図るため、トラックの荷台の側板に固定される固定手段としてのフック金具を有する支柱を有する補助タラップも使用されている。
【０００４】
しかしながら、このような従来の梯子、脚立、補助タラップなどにおいては、作業者が荷役作業を行う際の足場が狭いため、足を踏みはずすなどの事故が起こりやすかった。また、作業時に、荷台上の荷物が落下してしまい、作業者が重量の重い荷物の下敷きにされるという事故も多発していた。
【０００５】
さらに、近年、工場、倉庫、建築現場等における作業者の高齢化に伴い、トラック荷台への昇降自体が労作業になってきている。
【特許文献１】特開２００３−３１２３６６号公報
【特許文献２】特開２００２−２１１３１９号公報
【発明の開示】
【発明が解決しようとする課題】
【０００６】
本発明の目的は、トラック荷台に鋼材などの荷物を積み込む荷役作業のために作業者が昇り降りするためのタラップ装置において、タラップ上部において作業者が作業する際の足場を広くすると共に、作業時に荷台上の荷物が落下するのを防止し、作業者が荷役作業を安全で容易にできる作業環境を提供することにある。
【課題を解決するための手段】
【０００７】
上記の目的を達成するために、タラップの上部にトッラクの荷台とほぼ同じ高さの位置に作業台（ステージ）を設け、作業者の足場を広くすると共に、前記作業台の上部には、荷台上の荷物がトラックの荷台から外に落下するのを防ぐためのフェンスを設けるものである。
【０００８】
本発明の具体的構成は次のとおりである。
（１）トラックの荷台のあおりに固定具によって固定可能な昇降タラップであって、作業用ステージ、タラップ、脚部及びフェンスを有し、前記作業用ステージの前方端部に前記脚部が下方に向けて接続され、前記作業用ステージの後方端部に前記タラップが下方に向けて接続され、前記タラップは後脚を兼ねており、前記脚部と前記タラップにより作業用ステージを支え、前記作業用ステージの前方端部に複数の前記フェンスがほぼ垂直上向きに接続されることによって、前記荷台上の荷物の落下が防止されていることを特徴とする荷台昇降タラップ。
（２）前記フェンスは、作業ステージ及び／又は他方フェンスに接続されるフェンス補強部材により支持されていることを特徴とする上記（１）に記載の荷台昇降タラップ。
（３）前記固定具が、前記フェンス上を移動することができる固定用フックであることを特徴とする上記（１）又は（２）に記載の荷台昇降タラップ。
（４）前記フェンスは、内側に固定用フックを移動するための機構を備える中空構造であり、そのトラック側の側面が補強材によって補強されていることを特徴とする上記（３）に記載の荷台昇降タラップ。
【０００９】
本発明の荷台昇降タラップは、トラックの荷台のあおり部に簡易に固定するための固定具を有している。このような固定具としては、ワンタッチで固定、取り外しのできる移動式フックが好ましい。このような移動式フックは、例えば、クレーンなどに使用されるワイヤロープなどの引っ掛かりを防止するため、フック先端部が内側に曲げられていることがより好ましい。
【００１０】
本発明の荷台昇降タラップは作業者が荷役作業を容易にできるための作業用ステージを備える。このような作業用ステージの面積は、例えば、１人から複数の作業員が同時に作業できる広さまで目的に応じて広くすることができる。
【００１１】
本発明の荷台昇降タラップは、トラック荷台上の荷物の落下を防止するための複数のフェンスを有する。このフェンスは、例えば、鋼材などの重い重量による力に耐えるためのフェンス補強部材によって支持されていることが好ましい。このようなフェンス補強部材は、要するに、前記フェンスが荷物の重量等による力に耐えるのを補強するための構造上の補強材であって、形状は特に限定されないが、前記フェンスと作業用ステージを結ぶ直線又は曲線形状であることが好ましい。あるいは、２つ又は複数のフェンス間を接続することによって補強するものであってもよい。
【００１２】
また、フェンスには、フェンス上を上下に移動することができる固定用フックが備え付けられることが好ましい。固定用フックを移動する移動機構は、例えば、チェーンによりフックを移動させることが考えられるが、そのような場合、チェーンを内部に収納するためフェンスは中空構造となる。このような中空構造のフェンスを使用する場合には、フェンスのトラック側側面に鉄板などの補強材によってフェンスの強度を補強することが望ましい。
【００１３】
本発明の荷台昇降タラップは車輪により移動可能とすることができる。この際、タラップの重心の安定化を図るため、アウトリガーを設けることが好ましい。
【００１４】
本発明の荷台昇降タラップは、さらに、タラップの脇に手摺を設けることができ、前記手摺は、移動時の取っ手としても利用できる。
【発明の効果】
【００１５】
本発明の荷台昇降タラップを使用することにより、作業者が貨物トラックの荷台上の荷物の荷役作業を行う際、荷物の落下を極めて簡便に防止することができ、安全に荷役作業を行うことができる。また、作業者が荷役作業を行う際の足場としてステージが設置されているため、作業者が安全に作業しやすい。さらに、荷台昇降タラップのトラックへの固定も極めて簡単にでき、移動もスムーズにできるよう構成されている。したがって、特に、高齢者の作業者にとって安全で使い安い荷台昇降タラップを提供することができる。
【発明を実施するための最良の形態】
【００１６】
以下に、図面を用いて、本発明の荷台昇降タラップの具体的な構造について説明する。ただし、１つの実施例を示すに過ぎず、本発明はこれによって限定されるものではない。
【００１７】
図１−３は、それぞれ、本発明の荷台昇降タラップの側面図、前面図及び後面図である。１は、作業者が荷役作業を行うための作業用ステージであり、そのトラック側に位置する前方端部には２本の前脚２が下方に接続され、後方端部には後脚を兼ねたタラップ３が下方に接続されている。２本の荷物の落下防止用フェンス４が、ステージの前方端部から上部にほぼ垂直に接続されている。荷物落下防止用フェンス４は、それぞれ、ステージ１の両脇に接続される２本のフェンス補強部材６によって支持されている。このフェンス補強部材６とタラップ３の両脇は搬送用の取っ手を兼ねる手摺５が接続されている。フェンス４には、荷台昇降タラップをトラックのあおりに固定するための固定用フック５がフェンス４上を移動可能に設けられている。図４にも示されるように、フック５の先は、ロープなどの引っ掛かりを防止するために打つ側に向けて曲げられた形状となっている。タラップ３及び前脚２の地面端部には移動用の車輪８が設けられており、特に、タラップの地面端部は、荷台昇降タラップの重心の安定化を図るためにアウトリガーが９設けられている。
【００１８】
図４は、本発明の固定用フックの移動機構を示したものである。フェンスは中空構造となっており、フェンスの内側には、チェーン及びチェーンを回転させるスプロケット及びチェーンと固定用フックを結合する固定具が設置されている。固定用フックは、チェーンを回転・移動することによって移動することができ、所定の位置において、スプロケットの回転を止めるワンタッチ機構によって、固定化することができる。
【００１９】
また、中空構造のフェンスの強度を補強するための補強部材１０によって、フェンスのトラック側の側面が補強されている。
【図面の簡単な説明】
【００２０】
【図１】本発明の荷台昇降タラップの側面図である。
【図２】本発明の荷台昇降タラップの前面図である。
【図３】本発明の荷台昇降タラップの後面図である。
【図４】本発明の固定用フックの移動機構を示す図である。
【符号の説明】
【００２１】
１    作業用ステージ
２    前脚
３    タラップ及び後脚
４    フェンス
５    固定用フック
６    フェンス補強部材
７    手摺及び取っ手
８    車輪
９    アウトリガー
１０  補強材（鉄板）
１１  スプロケット
１２  チェーン
１３  固定具
【図１】
2006001502.tif 000003
【図２】
2006001502.tif 000004
【図３】
2006001502.tif 000005
【図４】
2006001502.tif 000006